(57)【要約】【課題】外径と軸方向長さを小さく抑えつつ、弾性体の変形に対する耐性と耐久性の向上を図ることができるダイナミックダンパーを提供すること。【解決手段】回転軸１０の外周に嵌装される円筒部２Ａと、該円筒部２Ａから径方向外方に所定距離だけ離間して同心的に配置されたウエイト部２Ｂと、該ウエイト部２Ｂと前記円筒部２Ａとを径方向に連結するリング状の連結部２Ｃとを一体化して成る弾性体２と、該弾性体２のウエイト部２Ｂに埋設された金属製のウエイト３と、で構成される圧縮・引張タイプのダイナミックダンパー１において、ウエイト部２Ｂの内周の周方向複数箇所に、径方向外方に突出する凸部２ａを形成し、ウエイト３の内周に、ウエイト部２Ｂに突設された凸部２ａが嵌合する凹部３ａを形成する。【選択図】図２
2020067128.tif 000002
【特許請求の範囲】
【請求項１】
回転軸の外周に嵌装される円筒部と、該円筒部から径方向外方に所定距離だけ離間して同心的に配置されたウエイト部と、該ウエイト部と前記円筒部とを径方向に連結するリング状の連結部とを一体化して成る弾性体と、
該弾性体の前記ウエイト部に埋設された金属製のウエイトと、
で構成される圧縮・引張タイプのダイナミックダンパーにおいて、
前記ウエイト部の内周の周方向複数箇所に、径方向外方に突出する凸部を形成し、前記ウエイトの内周に、前記ウエイト部に突設された前記凸部が嵌合する凹部を形成したことを特徴とするダイナミックダンパー。
【請求項２】
前記凹部を、前記ウエイトの内周の前記凸部が突設された周方向複数箇所に形成したことを特徴とする請求項１に記載のダイナミックダンパー。
【請求項３】
前記凹部を前記ウエイトの内周の全周に亘って形成したことを特徴とする請求項１に記載のダイナミックダンパー。
【請求項４】
前記凹部を横断面矩形状としたことを特徴とする請求項３に記載のダイナミックダンパー。
【請求項５】
前記凹部を横断面台形状としたことを特徴とする請求項３に記載のダイナミックダンパー。
【請求項６】
前記凹部の内側に形成される空所の前記連結部を挟んでこれの両側にソフトフェライトをそれぞれ配設したことを特徴とする請求項１〜５の何れかに記載のダイナミックダンパー。
【発明の詳細な説明】
【技術分野】
【０００１】
本発明は、回転軸に装着されて該回転軸の振動を抑制するためのダイナミックダンパーに関する。
【背景技術】
【０００２】
例えば、車両のドライブシャフトなどの回転軸には、該回転軸の回転振動を抑制するためのダイナミックダンパーが装着される。このダイナミックダンパーは、回転軸の固有振動数周辺での共振現象を抑制するものであって、ゴムなどの弾性体と、該弾性体に埋設された金属製のウエイトによって構成されている。
【０００３】
より詳細には、弾性体は、回転軸の外周に嵌装される円筒部と、該円筒部から径方向外方に所定距離だけ離間して同心的に配置されたウエイト部と、該ウエイト部と前記円筒部とを径方向に連結するリング状の連結部とを一体化して構成されており、金属製のウエイトは、弾性体の前記ウエイト部に埋設されている。
【０００４】
このようなダイナミックダンパーにおいては、弾性体の連結部の圧縮・引張変形によって回転軸の主に径方向振動を吸収する圧縮・引張タイプのもの（例えば、特許文献１，２参照）と、弾性体の連結部の剪断変形によって回転軸の主に軸方向振動を吸収する剪断タイプのもの（例えば、特許文献３参照）とがある。
【先行技術文献】
【特許文献】
【０００５】
【特許文献１】実開昭６２−１０７１３５号公報
【特許文献２】特開平９−２２９１３７号公報
【特許文献３】特開２００１−３４９３７９号公報
【発明の概要】
【発明が解決しようとする課題】
【０００６】
ところで、車両のドライブシャフトに装着されるダイナミックダンパーとして圧縮・引張タイプのものを採用した場合、車体部品との干渉を避けるために当該ダイナミックダンパーの外径を小さくする必要がある。しかしながら、ダイナミックダンパーの外径を小さくすると、弾性体の連結部の径方向長さ（ゴム足長さ）が短くなり、高い制振効果を期待できないばかりか、連結部の圧縮歪が大きくなって該連結部の変形に対する耐性や耐久性が低下するという問題が発生する。
【０００７】
そこで、圧縮・引張タイプのダイナミックダンパーよりも外径を小さく抑えることができる剪断タイプのダイナミックダンパーを車両のドライブシャフトに装着することが考えられる。しかしながら、剪断タイプのダイナミックダンパーは、軸方向の長さが長くなるため、軸方向の長さの長いドライブシャフトにしか装着することができず、その適用範囲が限定されるという問題がある。
【０００８】
また、例えば、駆動源である電動モータを含むモータユニットを備える電気自動車（ＥＶ車）においては、モータユニットとドライブシャフトとの電位差に起因する電磁波がドライブシャフトから放射されるため、ラジオノイズが発生する可能性がある。
【０００９】
本発明は上記問題に鑑みてなされたもので、その目的は、外径と軸方向長さを小さく抑えつつ、弾性体の変形に対する耐性と耐久性の向上を図ることができるダイナミックダンパーを提供することにある。
【００１０】
また、本発明の他の目的は、回転軸から放射される電磁波に起因するラジオノイズの発生を防ぐことができるダイナミックダンパーを提供することにある。
【課題を解決するための手段】
【００１１】
上記目的を達成するため、本発明は、回転軸（１０）の外周に嵌装される円筒部（２Ａ）と、該円筒部（２Ａ）から径方向外方に所定距離だけ離間して同心的に配置されたウエイト部（２Ｂ）と、該ウエイト部（２Ｂ）と前記円筒部（２Ａ）とを径方向に連結するリング状の連結部（２Ｃ）とを一体化して成る弾性体（２）と、該弾性体（２）の前記ウエイト部（２Ｂ）に埋設された金属製のウエイト（３）と、で構成される圧縮・引張タイプのダイナミックダンパー（１）において、前記ウエイト部（２Ｂ）の内周の周方向複数箇所に、径方向外方に突出する凸部（２ａ）を形成し、前記ウエイト（３）の内周に、前記ウエイト部（２Ｂ）に突設された前記凸部（２ａ）が嵌合する凹部（３ａ）を形成したことを特徴とする。
【００１２】
本発明にかかるダイナミックダンパーによれば、圧縮・引張タイプのダイナミックダンパーにおいて、弾性体のウエイト部内周の複数箇所に凸部を形成したため、弾性体の連結部には、ウエイト部の凸部の内側に、円筒部から径方向外方に放射状に延びる複数の足部が一体に形成され、この足部の径方向長さが連結部の他の部位の径方向長さよりも長くなるため、当該ダイナミックダンパーの外径と軸方向長さを小さく抑えつつ、弾性体の変形に対する耐性と耐久性の向上を図ることができる。
【００１３】
また、本発明では、前記凹部（３ａ）を、前記ウエイト（３）の内周の前記凸部（２ａ）が突設された周方向複数箇所に形成してもよい。
【００１４】
また、本発明では、前記凹部（３ａ）を前記ウエイト（３）の内周の全周に亘って形成してもよい。
【００１５】
この構成によれば、ウエイトに凹部を全周に亘って形成したため、該ウエイトの加工が容易化し、その製造コストを低く抑えることができる。
【００１６】
また、本発明では、前記凹部（３ａ）を横断面矩形状としてもよい。
【００１７】
また、本発明では、前記凹部（３ａ）を横断面台形状としてもよい。
【００１８】
また、本発明では、前記凹部（３ａ）の内側に形成される空所の前記連結部（２Ｃ）を挟んでこれの両側にソフトフェライト（６）をそれぞれ配設してもよい。
【００１９】
この構成によれば、回転軸から放射される電磁波に起因するラジオノイズの発生をソフトフェライトの磁気損失効果によって防ぐことができる。
【発明の効果】
【００２０】
本発明にかかるダイナミックダンパーによれば、外径と軸方向長さを小さく抑えつつ、弾性体の変形に対する耐性と耐久性の向上を図ることができ、また、回転軸から放射される電磁波に起因するラジオノイズの発生を防ぐことができる。
【図面の簡単な説明】
【００２１】
【図１】本発明の実施の形態１に係るダイナミックダンパーの右側面図である。
【図２】図１のＡ−Ａ線断面図である。
【図３】図２のＢ−Ｂ線断面図である。
【図４】図２のＣ−Ｃ線断面図である。
【図５】本発明の実施の形態２に係るダイナミックダンパーの縦断面図である。
【図６】本発明の実施の形態３に係るダイナミックダンパーの縦断面図である。
【発明を実施するための形態】
【００２２】
以下、添付図面を参照して本発明の実施の形態を説明する。
【００２３】
＜実施の形態１＞
図１は本発明の実施の形態１に係るダイナミックダンパーの右側面図、図２は図１のＡ−Ａ線断面図、図３は図２のＢ−Ｂ線断面図、図４は図２のＣ−Ｃ線断面図である。
【００２４】
本実施の形態に係るダイナミックダンパー１は、圧縮・引張タイプのものであって、ゴム等の弾性体２と、該弾性体２の内部に埋設された金属製のウエイト３によって構成されている。ここで、弾性体２は、車両のドライブシャフトなどの回転軸１０の外周に嵌装される円筒部２Ａと、該円筒部２Ａから径方向外方に所定距離だけ離間して同心的に配置された円筒状のウエイト部２Ｂと、該ウエイト部２Ｂと前記円筒部２Ａとを径方向に連結するリングプレート状の連結部２Ｃとを一体化して構成されており、該弾性体２の前記ウエイト部２Ｂに円筒状の前記ウエイト３が埋設されている。なお、実際の製造においては、弾性体２とウエイト３とは加硫成形によって一体に成形される。また、ダイナミックダンパー１は回転軸１０の外周に圧入されて装着される。そのため、図２に示すダイナミックダンパー１は、回転軸１０を挿入する前の断面形状を示しており、同図におけるダイナミックダンパー１と回転軸１０とが重なっている部分は、圧入締め代である。
【００２５】
そして、本実施の形態に係るダイナミックダンパー１においては、図１および図２に示すように、弾性体２のウエイト部２Ｂの左右両側面には、リング状の金属プレート４がそれぞれ当てられており、これらの金属プレート４は、周方向に等間隔で配置された４本のビス５によってウエイト３の左右両側面にそれぞれ取り付けられている。
【００２６】
ところで、本実施の形態に係るダイナミックダンパー１においては、図１および図３に示すように、弾性体２のウエイト部２Ｂの内周の周方向５箇所には、径方向外方に突出する横断面矩形状の凸部２ａが周方向に等角度ピッチ（７２°ピッチ）で突設されており、ウエイト部２Ｂと円筒部２Ａとを径方向に連結する連結部２Ｃの周方向５箇所（ウエイト部２Ｂに凸部２ａが形成された５箇所）には、径方向外方に向かって放射状に延びる足部２ｂが一体に形成されている。ここで、図２に示すように、連結部２Ｃの各足部２ｂの径方向長さＬ１は、他の部位２ｃの径方向長さＬ２よりも長く（Ｌ１＞Ｌ２）、各足部２ｂの軸方向厚さｔ１は、他の部位２ｃの厚さｔ２よりも厚く（ｔ１＞ｔ２）設定されている。
【００２７】
また、図１および図３に示すように、ウエイト３の内周の５箇所（ウエイト部２Ｂに凸部２ａが形成された５箇所）には、横断面矩形状の凹部３ａがそれぞれ形成されており、各凹部３ａには、弾性体２のウエイト部２Ｂの周方向５箇所に形成された各凸部２ａがそれぞれ嵌合している。
【００２８】
さらに、図２および図４に示すように、弾性体２のウエイト部２Ｂに形成された各凸部２ａの内側の空所、さらに詳細には、空所の連結部２Ｃ（足部２ｂ）を挟んでこれの両側には、ソフトフェライト６がそれぞれ配設されており、５個のソフトフェライト６は、図４に示すように、同材質のリング６ａによって互いに連結されている。
【００２９】
以上のように構成されたダイナミックダンパー１は、弾性体２の円筒部２Ａが回転軸１０の外周に嵌装されることによって回転軸１０の外周に装着され、回転軸１０と共に回転するが、回転軸１０の回転振動によってウエイト３も振動する。そして、このウエイト３の主に径方向の振動によって弾性体２の足部２ｂが圧縮と引張を繰り返して弾性変形し、この足部２ｂの弾性変形によって回転軸１０の主に径方向の振動が吸収される。なお、ソフトフェライト６やウエイト３の重量を変えることによって、当該ダイナミックダンパー１の振動吸収特性を変更することができる。
【００３０】
ところで、本実施の形態においては、弾性体２のウエイト部２Ｂの内周５箇所に凸部２ａを形成したため、弾性体２の連結部２Ｃには、図１および図２に示すように、ウエイト部２Ｂの凸部２ａの内側に、円筒部２Ａから径方向外方に放射状に延びる５つの足部２ｂが一体に形成されている。そして、前述のように、各足部２ｂの径方向長さＬ１は、連結部２Ｃの他の部位２ｃの径方向長さＬ２よりも長く（Ｌ１＞Ｌ２）、各足部２ｂの軸方向厚さｔ１は、連結部２Ｃの他の部位２ｃの厚さｔ２よりも厚く（ｔ１＞ｔ２）設定されているため、これらの足部２ｂによって弾性体２の変形に対する耐性と耐久性が高められる。
【００３１】
以上のように、本実施の形態によれば、ダイナミックダンパー１として圧縮・引張タイプのものを使用したため、該ダイナミックダンパー１の外径と軸方向長さを小さく抑えることができるとともに、弾性体２の変形に対する耐性と耐久性を高めることができるという効果が得られる。そして、本実施の形態においては、圧縮・引張タイプのダイナミックダンパー１に対して本発明を適用したため、当該ダイナミックダンパー１の外径と軸方向長さ小さく抑えつつ、前記効果を得ることができる。
【００３２】
また、本実施の形態では、弾性体２のウエイト部２Ｂの内周５箇所に形成された凸部２ａの内側に形成された空所の連結部２Ｃ（足部２ｂ）を挟んでこれの両側にソフトフェライト６をそれぞれ配設したため、回転軸１０から放射される電磁波に起因するラジオノイズの発生がソフトフェライト６の磁気損失効果によって防がれるという効果も得られる。
【００３３】
なお、本実施の形態では、弾性体２のウエイト部２Ｂの内周５箇所に凸部２ａを形成したが、凸部２ａの数は複数であれば任意である。
【００３４】
＜実施の形態２＞
次に、本発明の実施の形態２を図５に基づいて以下に説明する。
【００３５】
図５は本発明の実施の形態２に係るダイナミックダンパーの縦断面図であり、本図においては図１〜図４において示したものと同一要素には同一符号を付しており、以下、これらについての再度の説明は省略する。
【００３６】
本実施の形態では、前記実施の形態１と同様に、弾性体２のウエイト部２Ｂの内周の周方向５箇所に、径方向外方に突出する横断面矩形状の凸部２ａが周方向に等角度ピッチ（７２°ピッチ）で突設されているが、ウエイト３の内周には、横断面矩形状の凹部３ａが全周に亘って形成されている。そして、ウエイト３の内周に全周に亘って形成された凹部３ａには、弾性体２のウエイト部２Ｂの周方向５箇所に突設された凸部２ａが嵌合している。
【００３７】
また、本実施の形態では、前記実施の形態１と同様に、弾性体２の連結部２Ｃの周方向５箇所（ウエイト部２Ｂに凸部２ａが形成された５箇所）には、径方向外方に向かって放射状に延びる足部２ｂが一体に形成されている。ここで、図５に示すように、弾性体２の連結部２Ｃの各足部２ｂの径方向長さＬ１は、連結部２Ｃの他の部位２ｃの径方向長さＬ２よりも長く（Ｌ１＞Ｌ２）、各足部２ｂの軸方向厚さｔ１は、連結部２Ｃの他の部位の厚さｔ２よりも厚く（ｔ１＞ｔ２）設定されている。
【００３８】
したがって、本実施の形態においても、前記実施の形態１と同様に、ダイナミックダンパー１の外径と軸方向長さを小さく抑えつつ、弾性体２の連結部２Ｃに一体に形成された５つの足部２ｂによって当該弾性体２の変形に対する耐性と耐久性が高められるという効果が得られる。
【００３９】
そして、本実施の形態では、ウエイト３に凹部３ａを全周に亘って形成したため、該ウエイト３の加工が容易化し、その製造コストを低く抑えることができる。
【００４０】
なお、図示しないが、本実施の形態においても、弾性体２の各凸部２ａの内側に形成された空所の連結部２Ｃ（足部２ｂ）を挟んでこれの両側にソフトフェライトをそれぞれ配設すれば、回転軸１０から放射される電磁波に起因するラジオノイズの発生がソフトフェライトの消磁効果によって防がれるという効果も得られる。
【００４１】
また、本実施の形態では、弾性体２のウエイト部２Ｂの内周５箇所に凸部２ａを形成したが、凸部２ａの数は複数であれば任意である。
【００４２】
＜実施の形態３＞
次に、本発明の実施の形態３を図６に基づいて以下に説明する。
【００４３】
図６は本発明の実施の形態３に係るダイナミックダンパーの縦断面図であり、本図においては図５において示したものと同一要素には同一符号を付しており、以下、これらについての再度の説明は省略する。
【００４４】
本実施の形態においては、弾性体２のウエイト部２Ｂの内周の周方向５箇所に、径方向外方に突出する横断面台形状の凸部２ａが周方向に等角度ピッチ（７２°ピッチ）で突設されているが、図６に示すように、ウエイト３の内周には、横断面台形状の凹部３ａが全周に亘って形成されている。そして、ウエイト３の内周に全周に亘って形成された凹部３ａには、弾性体２のウエイト部２Ｂの周方向５箇所に突設された凸部２ａが嵌合している。
【００４５】
また、本実施の形態では、前記実施の形態１，２と同様に、弾性体２の連結部２Ｃの周方向５箇所（ウエイト部２Ｂに凸部２ａが形成された５箇所）には、径方向外方に向かって放射状に延びる足部２ｂが一体に形成されている。ここで、図６に示すように、連結部２Ｃの各足部２ｂの径方向長さＬ１は、連結部２Ｃの他の部位２ｃの径方向長さＬ２よりも長く（Ｌ１＞Ｌ２）、各足部２ｂの軸方向厚さｔ１は、連結部２Ｃの他の部位の厚さｔ２よりも厚く（ｔ１＞ｔ２）設定されている。
【００４６】
したがって、本実施の形態においても、前記実施の形態１，２と同様に、ダイナミックダンパー１の外径と軸方向長さを小さく抑えつつ、弾性体２の連結部２Ｃに一体に形成された５つの足部２ｂによって当該弾性体２の変形に対する耐性と耐久性が高められるという効果が得られる。
【００４７】
なお、図示しないが、本実施の形態においても、弾性体２の各凸部２ａの内側に形成された空所の連結部２Ｃ（足部２ｂ）を挟んでこれの両側にソフトフェライトをそれぞれ配設すれば、回転軸１０から放射される電磁波に起因するラジオノイズの発生がソフトフェライトの消磁効果によって防がれるという効果も得られる。
【００４８】
また、本実施の形態では、弾性体２のウエイト部２Ｂの内周５箇所に凸部２ａを形成したが、凸部２ａの数は複数であれば任意である。
【００４９】
以上の説明で明らかなように、本発明によれば、ダイナミックダンパー１の外径と軸方向長さを小さく抑えつつ、弾性体２の変形に対する耐性と耐久性の向上を図ることができるという効果が得られる。
【００５０】
そして、本実施の形態においても、前記実施の形態２と同様に、ウエイト３に凹部３ａを全周に亘って形成したため、該ウエイト３の加工が容易化し、その製造コストを低く抑えることができるという効果が得られる。
【００５１】
また、本発明によれば、回転軸１０から放射される電磁波に起因するラジオノイズの発生をソフトフェライト６の磁気損失効果によって防ぐことができるという効果も得られる。
【００５２】
なお、本発明は、以上説明した実施の形態に適用が限定されるものではなく、特許請求の範囲および明細書と図面に記載された技術的思想の範囲内で種々の変形が可能である。
【符号の説明】
【００５３】
１        ダイナミックダンパー
２        弾性体
２Ａ      弾性体の円筒部
２Ｂ      弾性体のウエイト部
２Ｃ      弾性体の連結部
２ａ      弾性体の凸部
２ｂ      弾性体の足部
３        ウエイト
３ａ      ウエイトの凹部
４        金属プレート
５        ビス
６        ソフトフェライト
１０      回転軸
【図１】
2020067128.tif 000003
【図２】
2020067128.tif 000004
【図３】
2020067128.tif 000005
【図４】
2020067128.tif 000006
【図５】
2020067128.tif 000007
【図６】
2020067128.tif 000008